(57)【特許請求の範囲】
【請求項１】
火災受信機と多重伝送線で接続され、この火災受信機から受信した制御指令にもとづいて、制御端末に対して制御出力を行なうようにした制御中継器において、
上記制御指令にもとづき上記制御端末に対して制御信号を出力する一方、上記制御指令にもとづき出力確認信号を生成する制御出力回路部と、
上記出力確認信号にもとづいて、所定の端末動作確認処理を実行する情報処理回路部とを含んで構成されており、
上記制御出力回路部は、２接点タイプのリレーからなり、１接点目を上記制御端末に対する出力用とし、２接点目を情報処理回路部に対する出力用としたことを特徴とする自火報受信機用制御中継器。
【請求項２】
請求項１において、
上記情報処理回路部は、上記制御指令があったにもかかわらず、上記出力確認信号の入力がなかった場合には、再度、上記制御出力回路部に制御出力させる構成としている、自火報受信機用制御中継器。
【請求項３】
請求項１において、
上記情報処理回路部は、上記制御指令の出力がないときに、上記出力確認信号を受け付けた場合には、上記制御出力回路部に制御停止出力をさせる構成としている、自火報受信機用制御中継器。
【発明の詳細な説明】
【０００１】
【発明の属する技術分野】
本発明は、自火報受信機に多重伝送線で接続された制御中継器の改良に関する。
【０００２】
【従来の技術】
従来の自火報受信機用の制御中継器は、消費電流の低減させるためラッチングリレーを使用して、パルス出力により防排煙端末に対してリレー接点制御出力を行なっている。
【０００３】
【発明が解決しようとする課題】
ところが、従来の制御中継機では、出力した制御信号情報を自ら管理していないため、ノイズあるいはリレーの不良等で誤動作した場合でも、異常状態を認識することができなかった。
【０００４】
本発明は、このような事情を考慮して提案されたもので、その目的は、制御端末に対する出力状態を認識できる自火報受信機用制御中継器を提供することにある。
【０００５】
【課題を解決するための手段】
上記目的を達成するために、請求項１に記載の自火報受信機用制御中継器は、火災受信機と多重伝送線で接続され、この火災受信機から受信した制御指令にもとづいて、制御端末に対して制御出力を行なうようにした制御中継器であって、制御指令にもとづき制御端末に対して制御信号を出力する一方、制御指令にもとづき出力確認信号を生成する制御出力回路部と、出力確認信号にもとづいて、所定の端末動作確認処理を実行する情報処理回路部とを含んで構成されており、上記制御出力回路部は２接点タイプのリレーからなり、１接点目を制御端末に対する出力用とし、２接点目を情報処理回路部に対する出力用としたことを特徴としている。
【０００６】
制御中継機では、制御端末に対する出力状態を認識できるため、その結果、ノイズやリレー不良等で誤動作した場合でも、出力確認信号を自ら入力しているため、異常状態を認識することができ、その結果、制御端末に対して再制御出力が可能となる。
【０００７】
ここで、所定の端末動作確認処理には、出力確認信号を受けて行なう端末の動作確認処理や、端末に対する再制御処理などを含んでいる。
【０００８】
請求項２では、情報処理回路部は、制御指令があったにもかかわらず、出力確認信号の入力がなかった場合には、再度、制御出力回路部に制御出力させる構成としている。
【０００９】
請求項３では、情報処理回路部は、制御指令の出力がないときに、出力確認信号を受け付けた場合には、制御出力回路部に制御停止出力をさせる構成としている。
【００１０】
【発明の実施の形態】
以下に、本発明の実施の形態について、添付図面とともに説明する。
【００１１】
図１は、本発明の自火報受信機用制御中継器の要部構成を示すブロック図である。
【００１２】
制御中継機１は、多重伝送線Ｌを介して火災受信機３と接続されており、火災受信機３からの制御指令にもとづき防排煙端末２または移信出力設備に対して、制御出力するようにしており、火災受信機３と伝送制御を行なう多重伝送回路部１ａと、ＣＰＵ等で構成された情報処理回路部１ｂと、防排煙端末２を制御するためのリレーを用いた制御出力回路部１ｃとを、少なくとも備えている。
【００１３】
リレー制御出力回路部１ｃでは、２接点タイプのリレーを使用している。１接点目は防排煙端末２に対する制御信号として出力し（図１の符号Ａ）、２接点目は情報処理回路部１ｂに対する出力確認信号として出力する（符号Ｂ）。
【００１４】
制御中継器１は、火災受信機３から多重伝送線Ｌを介して多重伝送回路部１ａで制御指令を受信すると、情報処理回路部１ｂから制御指令をリレー制御出力回路部１ｃにパルス出力する。すると、リレー制御出力回路部１ｃでは、防排煙端末２に対して制御出力するとともに、情報処理回路部１ｂに出力確認信号を出力する動作を実行する。
【００１５】
図２には、リレー制御出力回路部１ｃの一例である２巻線ラッチング型リレーの回路図を示している。なお、この図はリセット状態を示している。
【００１６】
このリレーの図中のセットコイルＣ２側にパルス駆動電圧を印加すると、２接点Ｒ１、Ｒ２がオンし、反転（リセットコイルＣ１の励磁）の入力があるまでセット状態を保持する。すなわち、このリレーによれば、リレーに不良がない限り２接点から同一の意味を表わす信号が生成され、一方は防排煙端末２に対する制御信号として、他方は情報処理回路部１ｂに対する出力確認信号として出力保持される。
【００１７】
なお、出力制御は有電圧または無電圧のいずれであってもよい。
【００１８】
図３は、情報処理回路部１ｂの所定の端末動作確認処理動作を示すフローチャートである。以下に、火災受信機１からの制御指令がある場合（ステップ１０１〜１０７）と制御指令がない場合（ステップ１０１、１０８〜１１０）に分けて説明する。
【００１９】
（１）制御指令があったとき
リレー制御出力回路部１ｃに対してパルス制御出力し、タイマー後、出力確認信号を入力すればそのまま終了し、出力確認信号の入力がなければ再度パルス制御出力を行なう。そして、この再パルス制御出力処理を最大ｎ回まで繰り返し、出力確認信号の入力が確認できれば処理を正常終了し、確認できなければ火災受信機３に対して故障信号を通知する（以上、ステップ１０１〜１０７）。
【００２０】
すなわち、制御中継器１は、出力確認信号の有無によってリレー等の制御不良等を認識することができる。また、制御出力を複数回リトライしているので、確実に再制御でき、制御できなかったときでも異常信号を確実に火災受信機３に伝達することができる。
【００２１】
（２）制御指令がないとき
リレー制御出力回路部１ｃから出力確認信号の入力があれば、ノイズ等の誤動作と判断して、リレー制御出力回路部１ｃに対して停止（リセット）制御出力し、誤動作した旨の信号を火災受信機３へ通知する（以上、ステップ１０８〜１１０）。
【００２２】
すなわち、制御中継器１は、制御指令のないときに入力される出力確認信号を異常と判断しているため、これにより、ノイズ等による誤動作を迅速に検知することができる。
【００２３】
なお、所定の端末動作確認処理には、出力確認信号にもとづく表示灯（不図示）への報知処理などを含んでもよい。
【００２４】
【発明の効果】
以上の説明からも理解できるように、請求項１の自火報受信機用制御中継器は、制御出力回路部から出力確認信号を出力するようにしているので、ノイズやリレー不良等で誤動作した場合でも、出力確認信号を自ら入力しているため、異常状態を認識することができ、その結果、制御端末に対して再制御出力が可能となる。
【００２５】
請求項２では、制御指令があったにもかかわらず出力確認信号の入力がなかった場合に、再度、制御出力させる構成としているため、確実に制御端末に対して制御信号を再送出することができる。
【００２６】
請求項３では、制御指令の出力がないときに出力確認信号を受け付けた場合に、制御出力回路部に制御停止出力をさせる構成としているので、ノイズ等で制御端末を誤作動させた場合でも自動停止させることができる。
【図面の簡単な説明】
【図１】本発明の自火報受信機用制御中継器の要部構成を示すブロック図である。
【図２】リレー制御出力回路部の一例を示す回路図である。
【図３】情報処理回路部の基本動作を示すフローチャートである。
【符号の説明】
１・・・制御中継器
１ａ・・・多重伝送回路部
１ｂ・・・情報処理回路部
１ｃ・・・リレー制御出力回路部
２・・・防排煙端末
３・・・火災受信機
【図１】
0003786045.tif 000002
【図２】
0003786045.tif 000003
【図３】
0003786045.tif 000004